(57)【要約】【課題】  圧電素子毎に周波数制御特性を調整して、各圧電素子の前記周波数制御特性を同様にする周波数選択型発振器およびこれを備えた電子機器を提供する。【解決手段】  周波数選択型発振器１０は、発振周波数の異なる複数の圧電素子と、複数の前記圧電素子の中からいずれか１つを選択する切換部１４と、前記圧電素子毎に設けられ、前記圧電素子の制御電圧に対する周波数変化量を調整するインピーダンス素子と、前記切換部１４で選択された前記圧電素子の発振周波数に対応して共振するタンク回路１６と、前記圧電素子を発振させる発振回路と、を有し、前記切換部１４で選択された前記圧電素子と、この圧電素子に対応して設けられた前記インピーダンス素子と、前記タンク回路１６と、前記発振回路とで正帰還発振ループを形成した構成とした。【選択図】    図１
2005295351.tif 000002
【特許請求の範囲】
【請求項１】
発振周波数の異なる複数の圧電素子と、
複数の前記圧電素子の中からいずれか１つを選択する切換部と、
前記圧電素子毎に設けられ、前記圧電素子の制御電圧に対する周波数変化量を調整するインピーダンス素子と、
前記切換部で選択された前記圧電素子の発振周波数に対応して共振するタンク回路と、
前記圧電素子を発振させる発振回路と、を有し、
前記切換部で選択された前記圧電素子と、この圧電素子に対応して設けられた前記インピーダンス素子と、前記タンク回路と、前記発振回路とで正帰還発振ループを形成した、
ことを特徴とする周波数選択型発振器。
【請求項２】
前記圧電素子と、この圧電素子に対応して設けられた前記インピーダンス素子とを直列接続した回路を複数並列に接続し、当該並列接続した箇所に前記切換部を設けたことを特徴とする請求項１に記載の周波数選択型発振器。
【請求項３】
前記圧電素子の入力側にある前記切換部の前段に、前記圧電素子の制御電圧に対する周波数変化量を調整するインピーダンス素子を設けたことを特徴とする請求項１または２に記載の周波数選択型発振器。
【請求項４】
前記インピーダンス素子はインダクタまたはコンデンサであることを特徴とする請求項１ないし３のいずれかに記載の周波数選択型発振器。
【請求項５】
前記圧電素子毎に、前記圧電素子の制御電圧に対する前記圧電素子の周波数変化量の変化量を調整するコンデンサを設けたことを特徴とする請求項１ないし４のいずれかに記載の周波数選択型発振器。
【請求項６】
前記圧電素子の出力側にある前記切換部の後段に、前記圧電素子の制御電圧に対する前記圧電素子の周波数変化量の変化量を調整するコンデンサを設けたことを特徴とする請求項５に記載の周波数選択型発振器。
【請求項７】
前記圧電素子は、弾性表面波共振子であることを特徴とする請求項１ないし６のいずれかに記載の周波数選択型発振器。
【請求項８】
請求項１ないし７のいずれかに記載の周波数選択型発振器を備えたことを特徴とする電子機器。
【発明の詳細な説明】
【技術分野】
【０００１】
本発明は周波数選択型発振器に係り、特に異なる複数の発振周波数の信号を出力する周波数選択型発振器およびこれを備えた電子機器に関する。
【背景技術】
【０００２】
携帯電話や光ファイバ通信システム等の通信機器では、発振器からのクロック信号に基づいて通信データの送受信が行われている。そして光ファイバ通信システムでは、送受信されるデータ構造等の違いから複数の周波数が使用されるものがある。例えば米国のＳＯＮＥＴ方式の光ファイバ通信システムでは、６００ＭＨｚの帯域において４つの周波数、具体的には６２２．０８ＭＨｚ、６４４．５３１２５ＭＨｚ、６６６．５１４２９ＭＨｚおよび６６９．３２６５８ＭＨｚが使用されているので、それぞれの周波数に対応した高周波発振器が必要となっている。このため複数の圧電素子を設け、複数の異なる周波数の中からいずれか１つの周波数の信号を出力する電圧制御型発振器が発明されている。
【０００３】
この異なる周波数の信号を出力する発振器については、特許文献１および２に開示されている。特許文献１に開示された発振器は、発振周波数の異なる複数の水晶発振器を選択的に動作させ、当該動作中の水晶発振器の高調波成分を表面波フィルタで選択し、前記高調波成分を増幅して相補出力させるものである。また特許文献２に開示された発振器は、複数の共振回路、発振用トランジスタおよび複数のバイアス回路から構成され、必要とされる発振周波数に応じて一方のバイアス回路が選択され、この選択されたバイアス回路を介して一方の共振回路に電源が接続されて、この共振回路を発振させるものである。
【特許文献１】特開２００２−３３５１２７号公報
【特許文献２】特開２００２−３５９５２１号公報
【発明の開示】
【発明が解決しようとする課題】
【０００４】
ところで発振器に複数の圧電素子を設けて電圧制御型発振器を構成し、複数の異なる周波数の中からいずれか１つの周波数の信号を出力する場合、圧電素子が印加される制御電圧と、圧電素子の周波数変化量との周波数制御特性が各圧電素子で同じであることが好ましい。
【０００５】
しかしながら発振器に複数の圧電素子を設けた場合、１つの圧電素子と他の圧電素子とが常に接続していると、圧電素子間のアイソレーションが確保されず、周波数制御特性に影響を及ぼしあう問題点がある。また複数の圧電素子を設けて、これらを１つの発振回路により発振させる場合、発振回路が共用されているので圧電素子毎に周波数制御特性を調整するにも限界がある問題点がある。そして各圧電素子の周波数制御特性が異なる場合、これらが用いられる発振器の後段に接続される回路において、圧電素子毎に異なる周波数制御特性を調整しなければならない問題点があった。
【０００６】
また特許文献１では複数の圧電発振器、すなわち圧電振動子毎に発振用増幅器が設けられているので、発振器全体の回路構成が大きくなるとともに、圧電発振器が高価となる問題点がある。また特許文献２では圧電振動子を発振させる回路、すなわち発振用トランジスタや分割コンデンサ等が共用され、また圧電振動子間のアイソレーションが確保されてないので、圧電振動子毎に周波数制御特性を正確に調整できない問題点がある。
【０００７】
本発明は、上記問題点を解決するためになされたもので、圧電素子毎に周波数制御特性を調整して、各圧電素子の前記周波数制御特性を同様にする周波数選択型発振器を提供することを目的とする。
また上述した周波数選択型発振器を備えた電子機器を提供することを目的とする。
【課題を解決するための手段】
【０００８】
上記目的を達成するために、本発明に係る周波数選択型発振器は、発振周波数の異なる複数の圧電素子と、複数の前記圧電素子の中からいずれか１つを選択する切換部と、前記圧電素子毎に設けられ、前記圧電素子の制御電圧に対する周波数変化量を調整するインピーダンス素子と、前記切換部で選択された前記圧電素子の発振周波数に対応して共振するタンク回路と、前記圧電素子を発振させる発振回路と、を有し、前記切換部で選択された前記圧電素子と、この圧電素子に対応して設けられた前記インピーダンス素子と、前記タンク回路と、前記発振回路とで正帰還発振ループを形成した、ことを特徴としている。インピーダンス素子を調整することにより、圧電素子の制御電圧に対する周波数変化量（周波数制御特性）を上下に移動して調整することができる。よって圧電素子毎にインピーダンス素子を調整して、各圧電素子の前記特性を同様にできる。そして周波数選択型発振器の後段の回路において、圧電素子毎に異なる周波数制御特性を調整する必要がないので、前記回路を簡略化できる。
【０００９】
また前記圧電素子と、この圧電素子に対応して設けられた前記インピーダンス素子とを直列接続した回路を複数並列に接続し、当該並列接続した箇所に前記切換部を設けたことを特徴としている。これにより複数の異なる発振周波数の信号を出力できる。また切換部で選択された圧電素子と、選択されていない圧電素子とは接続していないので、圧電素子間のアイソレーションを確保することができ、圧電素子間で周波数制御特性を及ぼしあうことがない。
【００１０】
また前記圧電素子の入力側にある切換部の前段に、前記圧電素子の制御電圧に対する周波数変化量を調整するインピーダンス素子を設けたことを特徴としている。このインピーダンス素子と、圧電素子毎に設けられたインピーダンス素子とを組み合わせると、周波数制御特性を幅広い範囲で、かつ細かく調整できる。
【００１１】
また前記インピーダンス素子はインダクタまたはコンデンサであることを特徴としている。これにより圧電素子の周波数制御特性を上下に移動、すなわち周波数変化量を調整することができ、各圧電素子の前記特性を同様にできる。
また前記圧電素子毎に、前記圧電素子の制御電圧に対する前記圧電素子の周波数変化量の変化量を調整するコンデンサを設けたことを特徴としている。これにより制御電圧に対する前記圧電素子の周波数変化量の変化量（制御感度）を調整できるので、各圧電素子の前記特性を同様にできる。
【００１２】
また前記圧電素子の出力側にある前記切換部の後段に、前記圧電素子の制御電圧に対する前記圧電素子の周波数変化量の変化量を調整するコンデンサを設けたことを特徴としている。このコンデンサと、圧電素子毎に設けられたコンデンサとを組み合わせてキャパシタンスを変化させると、周波数制御特性を幅広い範囲で、かつ細かく調整できる。
また前記圧電素子は、弾性表面波共振子であることを特徴としている。これにより低いジッタ特性の信号を得ることができる。
【００１３】
また本発明に係る電子機器は、上述した周波数選択型発振器を備えたことを特徴としている。これにより電子機器は複数の異なる周波数の信号を得ることができる。そして圧電素子毎に異なる周波数制御特性を調整する必要がないので、電子機器を簡略化することができる。
【発明を実施するための最良の形態】
【００１４】
以下に、本発明に係る周波数選択型発振器およびこれを備えた電子機器の好ましい実施の形態について説明する。図１に周波数選択型発振器の説明図を示す。なお図１では、圧電素子として弾性表面波（ＳＡＷ）共振子を用い、インピーダンス素子としてインダクタＬ１，Ｌ２を用いた形態について記載している。周波数選択型発振器１０は、ＳＡＷ共振子１２、インダクタＬ１，Ｌ２、コンデンサＣ１，Ｃ２、切換部１４、タンク回路１６、発振用差動増幅器１８、出力用差動増幅器２０、帰還バッファ用差動増幅器２２および電圧制御移相回路２４から構成され、電圧制御型発振器を構成している。そしてＳＡＷ共振子１２、インダクタＬ１，Ｌ２、タンク回路１６、発振用差動増幅器１８、帰還バッファ用差動増幅器２２および電圧制御移相回路２４により正帰還発振ループが形成されている。
【００１５】
前記ＳＡＷ共振子１２は複数設けられ、それぞれ発振周波数が異なるものである。ＳＡＷ共振子１２は主振動以外に不要な振動が存在しないため、ジッタの発生要因とはならないという特徴を有する。このＳＡＷ共振子１２のそれぞれにインダクタＬ１（Ｌ１ａ，Ｌ１ｂ）が直列に接続されている。ＳＡＷ共振子１２とインダクタＬ１とを直列に接続した回路の両端に切換部１４（１４ａ，１４ｂ）が設けられている。すなわち前記回路を複数並列に接続し、この並列接続した箇所に切換部１４が設けられている。また前記回路のそれぞれに一方の切換部１４ａを介してコンデンサＣ１（Ｃ１ａ，Ｃ１ｂ）が直列に接続されている。
【００１６】
なお図１ではＳＡＷ共振子１２を２つ用いた形態で記載しているが、この形態に限定されることはなく、発振周波数の異なるＳＡＷ共振子１２を３つ以上設けてもよい。また前記回路の両端に接続された切換部１４は、切換端子Ｔｃを介して入力される制御信号ＣＯＮＴによって連動し、複数のＳＡＷ共振子１２の中からいずれか１つを選択する構成である。さらにＳＡＷ共振子１２の入力側に設けられた切換部１４ｂの前段、すなわち他方の切換部１４ｂと電圧制御移相回路２４との間にインダクタＬ２が設けられている。インダクタＬ１，Ｌ２はＳＡＷ共振子１２の制御電圧に対する周波数変化量（周波数制御特性）の調整に用いられる。
【００１７】
前記タンク回路１６は抵抗Ｒ、インダクタＬおよびコンデンサＣの並列共振回路により構成され、一端がＳＡＷ共振子１２と発振用差動増幅器１８の非反転入力端子Ｄ１との間に接続されている。またタンク回路１６の他端は発振用差動増幅器１８の反転入力端子Ｄ２に接続されている。このタンク回路１６と一方の切換部１４ａとの間にコンデンサＣ２の一端が接続され、コンデンサＣ２の他端が接地されている。このコンデンサＣ２と、切換部１４で選択されたＳＡＷ共振子１２に直列接続するコンデンサＣ１とがタンク回路１６と並列接続して、制御電圧に対する周波数変化量の変化量（制御感度）の調整に用いられている。またタンク回路１６はコンデンサＣ１，Ｃ２と並列接続して、定められた周波数で共振するようになる。
【００１８】
また発振用差動増幅器１８、出力用差動増幅器２０および帰還バッファ用差動増幅器２２は集積化され、１つの集積回路（ＩＣ）チップ２６として形成され、このＩＣチップ２６は発振回路を構成している。またこれらの差動増幅器１８，２０，２２はＥＣＬラインレシーバ（エミッタ結合理論）を用いた差動増幅回路から構成されているので集積回路化が容易であり、周波数選択型発振器１０の小型化が容易となっている。
【００１９】
前記発振用差動増幅器１８の非反転入力端子Ｄ１は切換部１４に接続され、非反転入力端子Ｄ１にＳＡＷ共振子１２の出力信号が入力される。また発振用差動増幅器１８の反転入力端子Ｄ２はタンク回路１６を介して切換部１４に接続されている。さらに反転入力端子Ｄ２には、ＩＣチップ２６から出力された基準バイアス電圧ＶＢＢが印加される。なおＳＡＷ共振子１２からの出力信号を発振用差動増幅器１８の反転入力端子Ｄ２に入力し、バイアス電圧ＶＢＢを非反転入力端子Ｄ１に入力する構成としてもよい。そして発振用差動増幅器１８は、相互の位相差が１８０度である出力信号を、非反転出力端子Ｑ＋と反転出力端子Ｑ−から出力する構成である。
【００２０】
また出力用差動増幅器２０の非反転入力端子は発振用差動増幅器１８の非反転出力端子Ｑ＋に接続され、反転入力端子は発振用差動増幅器１８の反転出力端子Ｑ−に接続されている。そして出力用差動増幅器２０は発振用差動増幅器１８からの出力信号を波形整形し、クロック信号として出力端子Ｔ＋，Ｔ−を介して出力するものである。
【００２１】
さらに帰還バッファ用差動増幅器２２はバッファ機能を有する差動増幅器である。帰還バッファ用差動増幅器２２の反転入力端子は発振用差動増幅器１８の反転出力端子Ｑ−に接続され、非反転入力端子は発振用差動増幅器１８の非反転出力端子Ｑ＋に接続されている。そして帰還バッファ用差動増幅器２２の非反転出力端子Ｑ１から出力される信号ＳＱ１は、周波数選択型発振器１０の外部へ出力される。また反転出力端子Ｑ２から出力される信号ＳＱ２は、正帰還発振ループ用の出力信号として電圧制御移相回路２４に入力される。なお非反転出力端子Ｑ１の出力信号ＳＱ１を正帰還発振ループ用出力信号として、反転出力端子Ｑ２の出力信号ＳＱ２を周波数選択型発振器１０の外部へ出力してもよい。
【００２２】
図２に電圧制御移相回路２４の回路図を示す。前記電圧制御移相回路２４は可変容量ダイオードＣｖを用いた電圧制御型のリアクタンス制御回路からなり、周波数選択型発振器１０の位相条件を満足させるため、電圧制御端子Ｔｖを介して入力される制御電圧Ｖｃに基づいて帰還バッファ用差動増幅器２２からの出力信号ＳＱ１またはＳＱ２のいずれかの位相を所定量進ませ、または遅らせて、所定の位相量に調整するものである。
【００２３】
次に、インダクタＬ１，Ｌ２を用いた周波数制御特性の調整について説明する。図３にＳＡＷ共振子１２の周波数制御特性における周波数変化量の調整についての説明図を示す。図３（ａ）は前記変化量が上下に移動するときの説明図であり、同図（ｂ）は各ＳＡＷ共振子１２の前記特性を同じにするときの説明図である。前記インダクタＬ１，Ｌ２のインダクタンスを変化させると、ＳＡＷ共振子１２の周波数制御特性の周波数変化量が調整される。すなわち図３（ａ）に示す実線がインダクタンスを変化させることにより実線の上または下に示した点線のようになり、周波数変化量が変化する。このため各ＳＡＷ共振子１２にインダクタＬ１，Ｌ２を設けないと、各ＳＡＷ共振子１２（ＳＡＷ共振子１，２）の周波数制御特性は図３（ｂ）の実線のようにそれぞれ異なるものになるが、各ＳＡＷ共振子１２にインダクタＬ１を設けてインダクタＬ２とともにインダクタンスを変化させると、各ＳＡＷ共振子１２の周波数制御特性の周波数変化量が調整されて同様になり図３（ｂ）の点線のようになる。
【００２４】
なおインダクタＬ１，Ｌ２を用いる場合、インダクタＬ２で全てのＳＡＷ共振子１２の発振周波数を調整し、インダクタＬ１で各ＳＡＷ共振子１２の発振周波数を調整している。すなわちインダクタＬ２に大きなインダクタンスのものを用い、インダクタＬ１に小さなインダクタンスのものを用いると、インダクタンスの振れ幅が大きく、かつ細かく変化させることができる。したがって周波数制御特性も振れ幅が大きく、かつ細かく周波数変化量を調整できる。また実施の形態によっては、インダクタＬ２を設けない構成としてもよい。さらに本実施の形態ではインピーダンス素子としてインダクタＬ１，Ｌ２を用いた形態で説明しているが、インダクタのかわりにコンデンサを用いてもよい。
【００２５】
次に、コンデンサＣ１，Ｃ２を用いた周波数制御特性の調整について説明する。図４にＳＡＷ共振子１２の周波数制御特性における制御感度の調整についての説明図を示す。図４（ａ）は前記特性の制御感度が変わるときの説明図であり、同図（ｂ）は各ＳＡＷ共振子１２の前記特性を同じにするときの説明図である。ＳＡＷ共振子１２に接続されたコンデンサＣ１，Ｃ２のキャパシタンスを変化させると、ＳＡＷ共振子１２の制御電圧に対する周波数変化量の変化量（制御感度）が変化する。これは図４（ａ）に示す実線が、キャパシタンスを変化させることにより前記特性の制御感度が変化して、点線のように変化する。このためコンデンサＣ１，Ｃ２を用いなければ各ＳＡＷ共振子１２（ＳＡＷ共振子１，２）の制御感度は図４（ｂ）の実線で示すようにそれぞれ異なるものになるが、各ＳＡＷ共振子１２にコンデンサＣ１を接続し、コンデンサＣ２とともにキャパシタンスを変化させると、各ＳＡＷ共振子１２の周波数制御特性の制御感度が調整されて同様になり、図４（ｂ）の点線で示すようになる。
【００２６】
なおコンデンサＣ１，Ｃ２を用いる場合、コンデンサＣ２に大きなキャパシタンスのものを用い、コンデンサＣ１に小さなキャパシタンスのものを用いると、キャパシタンスの振れ幅が大きく、かつ細かく変化させることができる。したがって周波数制御特性の制御感度も振れ幅が大きく、かつ細かく調整することができる。また実施の形態によっては、コンデンサＣ２を設けない構成としてもよい。
【００２７】
また各ＳＡＷ共振子１２の周波数制御特性が周波数変化量の調整と制御感度調整とのいずれも必要な場合は、インダクタＬ１，Ｌ２のインダクタンスを変化させるとともに、コンデンサＣ１，Ｃ２のキャパシタンスを変化させることにより、各ＳＡＷ共振子１２の前記特性を同様にできる。
【００２８】
次に、周波数選択型発振器１０の作用について説明する。まず切換部１４は切換端子Ｔｃを介して入力される制御信号ＣＯＮＴにより、複数のＳＡＷ共振子１２の中からいずれか１つのＳＡＷ共振子１２を選択している。この選択されたＳＡＷ共振子１２はインダクタＬ２，Ｌ１、タンク回路１６、ＩＣチップ２６および電圧制御移相回路２４とともに正帰還発振ループを形成している。選択されたＳＡＷ共振子１２は、インダクタＬ１，Ｌ２を介して信号を入力し、このＳＡＷ共振子１２の所定の周波数で発振して信号を出力している。そしてＳＡＷ共振子１２から出力された信号は、タンク回路１６を介して発振用差動増幅器１８に入力される。この発振用差動増幅器１８からの出力信号は相互の位相差が１８０度であり、この出力信号は出力用差動増幅器２０および帰還バッファ用差動増幅器２２に入力される。出力用差動増幅器２０は発振用差動増幅器１８からの出力信号を波形整形し、クロック信号として出力端子Ｔ＋，Ｔ−を介して周波数選択型発振器１０の外部へ出力する。また前記出力信号は、帰還バッファ用差動増幅器２２を介して非反転出力端子Ｑ１および反転出力端子Ｑ２に出力される。そして電圧制御移相回路２４は、電圧制御端子Ｔｖを介して入力された制御電圧Ｖｃに基づいて、帰還バッファ用差動増幅器２２の反転出力端子Ｑ２から出力された出力信号ＳＱ２の位相を適切な位相に調整する。また非反転出力端子Ｑ１から出力される信号ＳＱ１は、周波数選択型発振器１０の外部へ出力される。
【００２９】
このような周波数選択型発振器１０は、ＳＡＷ共振子１２毎にインダクタＬ１を接続したので、ＳＡＷ共振子１２毎に周波数制御特性の周波数変化量を調整することができる。そしてＳＡＷ共振子１２毎に前記特性を調整することにより、周波数選択型発振器１０に設けられた全てのＳＡＷ共振子１２の前記特性を同様にすることができる。また電圧制御移相回路２４と切換部１４との間にインダクタＬ２を設けたので、インダクタＬ２とインダクタＬ１とを組み合わせてインダクタンスを調整することにより、インダクタンスの振れ幅が大きく、かつ細かく変化させることができ、前記特性を細かく調整することができる。したがって周波数選択型発振器１０の出力側に接続される回路へ、制御電圧に対して一定の周波数変化量を有する信号を出力することができる。また各ＳＡＷ共振子１２に対応して周波数制御特性を調整する必要がないので、周波数選択型発振器１０の出力側に接続される回路を簡略化することができる。
【００３０】
またＳＡＷ共振子１２毎にコンデンサＣ１を接続したので、ＳＡＷ共振子１２毎に周波数制御特性の制御感度を調整することができる。またコンデンサＣ２を用いることにより、前記特性の制御感度を細かく調整することができる。そしてＳＡＷ共振子１２毎に前記特性を調整することにより、周波数選択型発振器１０に設けられた全てのＳＡＷ共振子１２の制御感度を同様にすることができる。
【００３１】
またインダクタＬ１，Ｌ２のインダクタンスを変化させて前記特性の周波数変化量を調整するとともに、コンデンサＣ１，Ｃ２のキャパシタンスを変化させて前記特性の制御感度を調整することにより、周波数選択型発振器１０に設けられた全てのＳＡＷ共振子１２の前記特性を同様にすることができる。
【００３２】
またＳＡＷ共振子１２の入力側と出力側とに切換部１４を設け、切換端子Ｔｃから切換部１４へ入力される制御信号ＣＯＮＴに基づいて複数のＳＡＷ共振子１２の中からいずれか１つを選択できるようにしたので、正帰還発振ループには１つのＳＡＷ共振子１２のみが接続される。したがって切換部１４で選択されたＳＡＷ共振子１２と選択されていない他のＳＡＷ共振子１２とのアイソレーションを確保することができ、周波数制御特性に影響を及ぼしあうことがない。また１つの周波数選択型発振器１０から複数の異なる周波数の信号を出力できるので、電子機器の仕様に応じた所定の発振周波数を得ることができる。そして１種類の周波数選択型発振器１０で  光ファイバ通信システムにおける個々のシステム仕様に応じることができる。
【００３３】
またコンデンサＣ１，Ｃ２がタンク回路１６と並列接続しているので、各ＳＡＷ共振子１２に対応してタンク回路１６単位で切り換える必要がなく、複数個のインダクタ部品を削減することができ、電圧制御型発振器の大型化を抑制できる。
【００３４】
また本実施の形態では、圧電素子としてＳＡＷ共振子１２を用いた形態で説明したが、圧電素子としてＡＴカット等の圧電振動子を用いることができる。なおＳＡＷ共振子１２は圧電振動子のように副振動がないので、主振動と副振動とが結合することがなく、不要なスプリアスも存在しない。また高い周波数をえるための逓倍回路を必要としないので、高調波も発生することがない。したがってＳＡＷ共振子１２はこれらに起因するジッタを発生することがないので、高品質な信号を出力することができる。
【００３５】
次に、上述した周波数選択型発振器１０を電子機器に搭載した一例について説明する。図５に光インターフェースモジュールの概要構成の説明図を示す。光インターフェースモジュール３０は、光ネットワークを介してデータ送受信等を実行するために、光信号と電気信号との信号変換を行うものである。例えば、１０．３１２５Ｇｂｉｔ／ｓの光信号と、３．１２５Ｇｂｉｔ／ｓの電気信号（４系統）との信号変換を行う。電気／光変換部３２は、パラレル／シリアル（Ｐ／Ｓ）変換部３４から出力された電気信号を光信号に変換し、光ネットワーク側に出力する。光／電気変換部３６は、光ネットワーク側から入力された光信号を電気信号に変換しシリアル／パラレル（Ｓ／Ｐ）変換部３８に出力する。電圧制御型発振器４０は上述した周波数選択型発振器１０であり、この発振器にＳＡＷ共振子１２は４つ設けられている。そして電圧制御型発振器４０から出力されたクロック信号は基準信号として、ビット符号変換部４２を介して接続された３．１２５Ｇｂｉｔ／ｓのＳ／Ｐ変換部４４およびＰ／Ｓ変換部４６、１０．３１２５Ｇｂｉｔ／ｓのＰ／Ｓ変換部３４およびＳ／Ｐ変換部３８の各部に用いられる。
【００３６】
このように、光インターフェースモジュール３０に電圧制御型発振器４０として周波数選択型発振器１０を設けたので、光インターフェースモジュール３０は１つの周波数選択型発振器１０で異なる複数の周波数の信号を得ることができる。そして前記発振器１０に搭載された各ＳＡＷ共振子１２の周波数制御特性は同様な制御電圧に対する周波数変化量となっているので、周波数選択型発振器１０の後段の回路側に前記周波数変化量を調整する回路を設ける必要がなく、光インターフェースモジュール３０の構成を簡略化することができる。
【００３７】
また光インターフェースモジュール３０は、選択されるＳＡＷ共振子１２毎に簡易にタンク回路１６を形成して不要なジッタを大幅に削減し、高安定化された電圧制御型発振器４０を使用している。これにより送受信データとクロック信号間におけるタイミングマージンが確保されるので、誤動作することなく光ネットワークを介して安定したデータ送受信を行うことができる。さらに動画像のような大量のデータが伝送できる１０Ｇｂｉｔ／ｓの高速ネットワークシステムにおいて、安定した動作を容易に確保することができる。
【００３８】
なお周波数選択型発振器１０は電圧制御型発振器なので、位相比較器、ループフィルタおよび電圧制御発振器からなる位相同期回路に適用することができる。したがって前記位相同期回路を搭載する電子機器に、周波数選択型発振器１０を搭載することができる。
【図面の簡単な説明】
【００３９】
【図１】周波数選択型発振器の説明図である。
【図２】電圧制御移相回路の回路図である。
【図３】弾性表面波共振子の周波数制御特性における周波数変化量の調整についての説明図である。
【図４】弾性表面波共振子の周波数制御特性における制御感度の調整についての説明図である。
【図５】光インターフェースモジュールの概要構成の説明図である。
【符号の説明】
【００４０】
１０………周波数選択型発振器、１２………弾性表面波（ＳＡＷ）共振子、１４………切換部、１６………タンク回路、２４………電圧制御移相回路、３０………光インターフェースモジュール。
【図１】
2005295351.tif 000003
【図２】
2005295351.tif 000004
【図３】
2005295351.tif 000005
【図４】
2005295351.tif 000006
【図５】
2005295351.tif 000007